(57)【要約】【課題】  従来の両足昇降健康運動器具は，二枚並列直線踏み台を取付側の軸芯を基点として上下昇降させるものがほとんどである。このため，その上下昇降高さは直線踏み台の長さによって決定され又，踏み台と基点軸までは一体形状を成しているから上下昇降高さを調整するために，その長さを加減する事は運動重力とのつり合い及び踏み台傾斜角度上の観点より非常に困難である。【解決手段】  床面上の一面を底辺とする不等辺三角形状の，他の二辺の内の長辺側に動力源となる引っ張りバネ又は空気，ガス等を利用した圧縮装置とこれに連結されたスライドガイド機構を設け，短辺側に台形ベルト又はワイヤーロープ等によって長辺側のスライドガイド機構と連結された昇降装置を設ける。これらの機構は全て並列二連機構とし，短辺側の昇降装置にそれぞれ踏み台を設置し，これに両足を乗せ両側端部に設置した手摺に掴まり，交互に昇降運動を行う事を可能としたものである。【選択図】  図２４
2006255383.tif 000002
【特許請求の範囲】
【請求項１】
床面上の一面を底辺とした不等辺三角形状の，他の二辺の内の長辺側に駆動源となる引っ張りバネ又は空気，ガス等を利用した圧縮装置とこれに連結されたスライドガイド機構を設け，短辺側に台形ベルト又は細線ワイヤーロープ等によって長辺側のスライドガイド機構と連結された踏み台付の昇降装置を設けたものである。
これらの機構は全て並列二連機構とした両足昇降健康運動器具。
【発明の詳細な説明】
【技術分野】
【０００１】  この発明は，人間が階段を昇る時の両足の動作状態を，ほとんどそのままの形態にて疑似動作を可能とした両足昇降健康運動器具に関するものである。
【背景技術】
【０００２】  従来は，そのほとんどが二本の直線踏み板の端部に両足を乗せ，交互に上下する形式のものであり，その基点軸は直線踏み板の片端部にあるため上下の動作範囲が限定されている。
【発明が解決しようとする課題】
【０００３】  従来は、次の様な欠点があった。
（イ）片方端部を基点とした直線踏み板の場合，その上下動作の量は踏み板の長さによって決定されるため運動範囲が限定される。
（ロ）一定長さの踏み板の場合，運動範囲を大きくすると踏み台部が直線形状一枚板であるため足乗せ面が急傾斜をなし危険である。
（ハ）踏み板の長さを長くして運動範囲を大きくすると，片方基点との力のモーメントの関係でそのバランスが取りにくい。
【図面の簡単な説明】
【０００４】  以下に本発明の構成部品の概要を示す図面について簡単に説明する。
【図１】はベースプレート（１）の二面図及び部分詳細図を示す。所定の部位に以下に示す部品の取付穴等を設定する。
ａ部は引っ張りバネ取付台（２）の取付部詳細図を示す。ｂ部は踏み台ガイドブロック（１３）の取付部詳細図を示す。ｃ部は中間支柱（１９）の取付部詳細図を示す。ｄ部は接地受部の詳細図を示す。
【図２】は引っ張りバネ取付台（２）の三面図を示す。本部品には，フックＡ（４Ａ）を介して引っ張りバネ（３）を組付け，ボルトによって取付スタンド（５）が取付けられる。
【図３】は引っ張りバネ（３）の見取図を示す。本部品は，一方は引っ張りバネ取付台（２）側のフックＡ（４Ａ）に，他方はスライドブロック（６）側のフックＢ（４Ｂ）に取付ける。取付時には少量の初圧を与える。
【図４】はフックＡ（４Ａ）及びフックＢ（４Ｂ）の組立図を示す。引っ張りバネ（３）の両端部と連結させるものである。
【図５】は取付スタンド（５）の二面図と部分詳細図を示す。引っ張りバネ（３）とスライドブロック（６）及びその付属構成部品が設置されるものであり，上端部に昇降ガイドブロック（１３）と連結するためのガイド兼ヒンジピン（１１）が組込まれる。
【図６】はスライドブロック（６）の二面図を示す。駆動源である引っ張りバネ（３）の力の移動方向を制御するものであり，スライドピン（８）とその付属部品が組込まれる。
【図７】はスライド押え板（７）の二面図を示す。
【図８】はスライドピン（８）の二面図を示す。スライドブロック（６）の移動方向及び移動量を制御するものであり左右対称形状とし，スライドブロック（６）に組込まれる。
【図９】は台形ベルト受リング（９）の二面図を示す。引っ張りバネ（３）のバネ力を伝達するための台形ベルト（１７）を嵌め込むものであり，左右一対がスライドピン（８）の両側端部に組込まれる。
【図１０】はストップボルト（１０）の二面図を示す。昇降ストロークを調整するためのものであり，取付スタンド（５）の両側端部の所定の位置に設置されるものである。
【図１１】はガイド兼ヒンジピン（１１）の二面図を示す。スライドブロック（６）側と踏み台スライドピン（１４）側の駆動力を設定方向に伝達し猶且つ取付スタンド（５）と昇降ガイドブロック（１３）を連結するものであり，取付スタンド（５）に組込まれる。
【図１２】はガイドローラー（１２）の二面図を示す。スライドピン（８）の両端部に組込まれた台形ベルト受リング（９）よりの台形ベルト（１７）を，踏み台スライドピン（１４）側の廻り止め付スライドガイド（１６）へ設定方向に伝達するものである。
【図１３】は昇降ガイドブロック（１３）の二面図と部分断面図を示す。昇降装置をガイドするものであり，上端部は取付スタンド（５）に組込まれたガイド兼ヒンジピン（１１）の両端部に嵌め込み，下端部はベースプレート（１）の所定の位置に設置されるものである。下端部に位置決めのための切欠き部を設定する。
【図１４】は踏み台スライドピン（１４）の二面図を示す。両端部に昇降ガイド用の付属部品を組込み，中央部に踏み台（１８）を設置したもので上下に所定のストロークにて移動するものである。
【図１５】はスライドリング（１５）の二面図を示す。踏み台スライドピン（１４）の両端部に組込まれ，これを設定上下方向にガイドするものである。
【図１６】廻り止め付スライドガイド（１６）の二面図を示す。踏み台スライドピン（１４）の廻り止めの機能を有するもので，猶且つ台形ベルト（１７）が嵌め込まれるものである。
【図１７】は台形ベルト（１７）の見取図と部分断面図を示す。廻り止め付スライドガイド（１６）に嵌め込み，ガイドローラー（１２）を介してスライドブロック（６）に組込まれた台形ベルト受リング（９）に取付けられるものである。
【図１８】は踏み台（１８）の二面図及び部分断面図を示す。昇降時に両足を乗せ置くためのものであり，踏み台スライドピン（１４）の中央部に設置されるものである。
【図１９】は中間支社（１９）の二面図を示す。取付スタンド（５）の補強の機能を有し，猶且つ取付スタンド（５）及び昇降ガイドブロック（１３）の位置決め機能を持たせる。
【図２０】はヒンジブロック（２０）の二面図を示す。中間支柱（１９）の上端部をヒンジピン（２１）を介して連結するものであり，取付スタンド（５）の中央付近に設置するものである。
【図２１】はヒンジピン（２１）の二面図を示す。取付スタンド（５）と中間支柱（１９）を連結するものである。
【図２２】は位置決めプレート（２２）の二面図を示す。中間支柱（１９）の抜け止め及び位置決めの機能を有し，猶且つ取付スタンド（５）と昇降ガイドブロック（１３）を所定の設定位置に止め置くものである。
【図２３】は手摺（２３）の二面図を示す。
【図２４】に全体組立使用状態の概念図を示す。
【発明を実施するための最良の形態】
【０００５】  図２４に全体組立使用状態の概念図を示す。
主要構成部品のみを図示す，付属小物部品は省略している。
【発明の効果】
【０００６】  本発明による効果は，以下に示す通りである。
（イ）階段昇り時の両足の動作状態を，ほとんどそのままの状態にて疑似運動が可能である。
（ロ）昇降ストロークは大腿部が水平状態か，又はそれ以上とする事が可能であるため，両足を中心とした下半身の筋力増強及び形態向上，保持に有効である。
（ハ）昇降ストロークは機械的に調整が可能であるため，身長差に合せ対応する事が出来猶且つ安全である。
（ニ）主要構成部品間はボルト締めとヒンジ構造により構成されているため折畳み収納可能であり，又搬送時の便宜上からも有利である。
（ホ）動力伝達部に台形ベルトを使用した場合，その力の作動方向を正確に猶且つ安全に伝達する事が出来る。
【符号の説明】
【０００７】  １  ベースプレート                          ２  引っ張りバネ取付台
３  引っ張りバネ                            ４  フックＡ及びフックＢ
５  取付スタンド                            ６  スライドブロック
７  スライド押え板                          ８  スライドピン
９  台形ベルト受リング                    １０  ストップボルト
１１  ガイド兼ヒンジピン                    １２  ガイドローラー
１３  昇降ガイドブロック                    １４  踏み台スライドピン
１５  スライドリング                        １６  廻り止め付スライドガイド
１７  台形ベルト                            １８  踏み台
１９  中間支柱                              ２０  ヒンジブロック
２１  ヒンジピン                            ２２  位置決めプレート
２３  手摺
【図１】
2006255383.tif 000003
【図２】
2006255383.tif 000004
【図３】
2006255383.tif 000005
【図４】
2006255383.tif 000006
【図５】
2006255383.tif 000007
【図６】
2006255383.tif 000008
【図７】
2006255383.tif 000009
【図８】
2006255383.tif 000010
【図９】
2006255383.tif 000011
【図１０】
2006255383.tif 000012
【図１１】
2006255383.tif 000013
【図１２】
2006255383.tif 000014
【図１３】
2006255383.tif 000015
【図１４】
2006255383.tif 000016
【図１５】
2006255383.tif 000017
【図１６】
2006255383.tif 000018
【図１７】
2006255383.tif 000019
【図１８】
2006255383.tif 000020
【図１９】
2006255383.tif 000021
【図２０】
2006255383.tif 000022
【図２１】
2006255383.tif 000023
【図２２】
2006255383.tif 000024
【図２３】
2006255383.tif 000025
【図２４】
2006255383.tif 000026